【手続補正書】
【提出日】平成26年8月6日(2014.8.6)
【手続補正１】
【補正対象書類名】明細書
【補正対象項目名】０００８
【補正方法】変更
【補正の内容】
【０００８】
上記目的を達成するために、複数の画素を含む撮像素子から出力される画像データを処理する本発明の画像処理装置は、撮影条件または撮影環境と、補正対象となる欠陥画素のグレードを示す第１の情報とを対応させた複数のテーブルと、前記複数の画素の内、各欠陥画素について、アドレス情報と、前記複数のテーブルの内、参照するテーブルを示す参照テーブル情報と、欠陥画素のグレードを示す第２の情報とからなるキズデータとを記憶した記憶手段と、撮影時の撮影条件及び撮影環境を取得する取得手段と、前記取得手段が取得した前記撮影条件または撮影環境における、前記参照テーブル情報に対応したテーブルが示す前記第１の情報と、前記キズデータにおける各欠陥画素の前記第２の情報とを比較し、比較結果に基づいて各欠陥画素の欠陥補正の要否を判定する判定手段と、前記判定手段により欠陥補正が必要であると判断された欠陥画素から出力された画像データに対して前記欠陥補正を行う補正手段とを有し、前記撮影条件は、撮影時の絞り値を含むことを特徴とする。
また、別の構成によれば、複数の画素を含む撮像素子から出力される画像データを処理する本発明の画像処理装置は、撮影時の絞り値と補正対象となる欠陥画素のグレードとを対応させたテーブルに基づいて、各欠陥画素から出力される画像データの補正要否を判定する判定手段と、前記判定手段により補正が必要であると判定された欠陥画素から出力される画像データに補正処理を施す補正手段とを有する。
【手続補正２】
【補正対象書類名】明細書
【補正対象項目名】０００９
【補正方法】変更
【補正の内容】
【０００９】
また、複数の画素を含む撮像素子から出力される画像データを処理し、撮影条件または撮影環境と、補正対象となる欠陥画素のグレードを示す第１の情報とを対応させた複数のテーブルと、前記複数の画素の内、各欠陥画素について、アドレス情報と、前記複数のテーブルの内、参照するテーブルを示す参照テーブル情報と、欠陥画素のグレードを示す第２の情報とからなるキズデータとを記憶した記憶手段とを有する画像処理装置における画像処理方法であって、取得手段が、撮影時の撮影条件及び撮影環境を取得する取得工程と、判定手段が、前記取得工程で取得した前記撮影条件または撮影環境における、前記参照テーブル情報に対応したテーブルが示す前記第１の情報と、前記キズデータにおける各欠陥画素の前記第２の情報とを比較し、比較結果に基づいて各欠陥画素の欠陥補正の要否を判定する判定工程と、補正手段が、前記判定工程で欠陥補正が必要であると判断された欠陥画素から出力された画像データに対して前記欠陥補正を行う補正工程とを有し、前記撮影条件は、撮影時の絞り値を含むことを特徴とする。
また、別の構成によれば、複数の画素を含む撮像素子から出力される画像データを処理する画像処理装置における本発明の画像処理方法は、判定手段が、撮影時の絞り値と補正対象となる欠陥画素のグレードとを対応させたテーブルに基づいて、各欠陥画素から出力される画像データの補正要否を判定する判定工程と、補正手段が、前記判定工程において補正が必要であると判定された欠陥画素から出力される画像データに補正処理を施す補正工程とを有する。
【手続補正３】
【補正対象書類名】明細書
【補正対象項目名】００１１
【補正方法】変更
【補正の内容】
【００１１】
【図１】本発明の実施形態における撮像装置の構成を示すブロック図。
【図２】実施形態における画像処理装置の主ルーチンのフローチャート。
【図３】実施形態における画像処理装置の主ルーチンのフローチャート。
【図４】実施形態における測距・測光処理を示すフローチャート。
【図５】実施形態における撮影処理を示すフローチャート。
【図６】実施形態における欠陥画素補正処理を示すフローチャート。
【図７】実施形態におけるキズ画素判断処理を示すフローチャート。
【図８】実施形態におけるキズデータの一例を示す図。
【図９】実施形態における欠陥補正判定を行うための判定値テーブルを示す図。
【手続補正４】
【補正対象書類名】明細書
【補正対象項目名】００７９
【補正方法】変更
【補正の内容】
【００７９】
そして、合焦と判断されると（Ｓ２０３でＹＥＳ）、システム制御回路５０は、撮影画面内の複数の測距点の中から合焦した測距点を決定する（Ｓ２０４）。そして、決定した測距点のデータと共に合焦状態のデータ及び或いは設定パラメータをシステム制御回路５０の内部メモリ或いはメモリ５２に記憶する。
【手続補正５】
【補正対象書類名】明細書
【補正対象項目名】００９５
【補正方法】変更
【補正の内容】
【００９５】
システム制御回路５０がＳ６０３において欠陥画素のキズＩＤを読み込むと、読み込んだキズＩＤに応じて、図９（ａ）〜（ｃ）に示される判定値テーブルのうちの１つを選択する（Ｓ６０４）。例えば、キズＩＤがＩＤ１（白キズ）であるとき、図９（ａ）の判定値テーブルを選択する（Ｓ６０４）。ここで、Ｓ６０２で取得した撮影条件及び撮影環境が、例えば、ＩＳＯ感度４００、電荷蓄積時間が１秒、温度が２５℃、Ｆ値が２．８であるものとする。ＩＤ１の判定値テーブルは、温度、ＩＳＯ感度、電荷蓄積時間の条件によって判定値が異なり、この例では温度が２５℃であることから、図９（ａ）の上側の判定値テーブルのＩＳＯ感度４００、電荷蓄積時間１秒に対応する、判定値５が選択される（Ｓ６０５）。
【手続補正６】
【補正対象書類名】明細書
【補正対象項目名】００９６
【補正方法】変更
【補正の内容】
【００９６】
上記の例において、撮影条件が変化し、例えば温度が６５℃以上になった場合には図９（ａ）の下側の判定値テーブルが選択される。また、上記の例において、Ｓ６０３において読み込んだキズＩＤがＩＤ２であれば、図９（ｂ）の判定値テーブルから、判定値５が選択され、ＩＤ３であれば、図９（ｃ）の判定値テーブルから、同じく判定値５が選択されることになる。
【手続補正７】
【補正対象書類名】特許請求の範囲
【補正対象項目名】全文
【補正方法】変更
【補正の内容】
【特許請求の範囲】
【請求項１】
複数の画素を含む撮像素子から出力される画像データを処理する画像処理装置であって、
撮影条件または撮影環境と、補正対象となる欠陥画素のグレードを示す第１の情報とを対応させた複数のテーブルと、前記複数の画素の内、各欠陥画素について、アドレス情報と、前記複数のテーブルの内、参照するテーブルを示す参照テーブル情報と、欠陥画素のグレードを示す第２の情報とからなるキズデータとを記憶した記憶手段と、
撮影時の撮影条件及び撮影環境を取得する取得手段と、
前記取得手段が取得した前記撮影条件または撮影環境における、前記参照テーブル情報に対応したテーブルが示す前記第１の情報と、前記キズデータにおける各欠陥画素の前記第２の情報とを比較し、比較結果に基づいて各欠陥画素の欠陥補正の要否を判定する判定手段と、
前記判定手段により欠陥補正が必要であると判断された欠陥画素から出力された画像データに対して前記欠陥補正を行う補正手段とを有し、
前記撮影条件は、撮影時の絞り値を含むことを特徴とする画像処理装置。
【請求項２】
前記記憶手段は、１つの欠陥画素に対して複数のキズデータを保持できることを特徴とする請求項１に記載の画像処理装置。
【請求項３】
前記判定手段は、前記複数のキズデータについて、それぞれ欠陥補正の要否を判定し、前記判定手段が前記複数のキズデータの何れかに基づいて欠陥補正が必要であると判定すると、前記補正手段は該欠陥画素から出力された画像データに対して前記欠陥補正を行うことを特徴とする請求項２に記載の画像処理装置。
【請求項４】
前記撮影環境は、撮影時の前記撮像素子の温度を含むことを特徴とする請求項１に記載の画像処理装置。
【請求項５】
前記撮影条件は、さらに、撮影時の蓄積時間、感度の少なくともいずれか１つを含むことを特徴とする請求項１に記載の画像処理装置。
【請求項６】
複数の画素を含む撮像素子から出力される画像データを処理する画像処理装置であって、
撮影時の絞り値と補正対象となる欠陥画素のグレードとを対応させたテーブルに基づいて、各欠陥画素から出力される画像データの補正要否を判定する判定手段と、
前記判定手段により補正が必要であると判定された欠陥画素から出力される画像データに補正処理を施す補正手段と
を有することを特徴とする画像処理装置。
【請求項７】
さらに、各欠陥画素のアドレス情報と欠陥画素のグレードを示す欠陥画素データを記憶した記憶手段を有し、
前記判定手段は、前記テーブルが示す欠陥画素のグレードと前記欠陥画素データが示す欠陥画素のグレードとを比較し、比較結果に基づいて各欠陥画素から出力される画像データの補正要否を判定することを特徴とする請求項６に記載の画像処理装置。
【請求項８】
複数の画素を含む撮像素子から出力される画像データを処理し、撮影条件または撮影環境と、補正対象となる欠陥画素のグレードを示す第１の情報とを対応させた複数のテーブルと、前記複数の画素の内、各欠陥画素について、アドレス情報と、前記複数のテーブルの内、参照するテーブルを示す参照テーブル情報と、欠陥画素のグレードを示す第２の情報とからなるキズデータとを記憶した記憶手段とを有する画像処理装置における画像処理方法であって、
取得手段が、撮影時の撮影条件及び撮影環境を取得する取得工程と、
判定手段が、前記取得工程で取得した前記撮影条件または撮影環境における、前記参照テーブル情報に対応したテーブルが示す前記第１の情報と、前記キズデータにおける各欠陥画素の前記第２の情報とを比較し、比較結果に基づいて各欠陥画素の欠陥補正の要否を判定する判定工程と、
補正手段が、前記判定工程で欠陥補正が必要であると判断された欠陥画素から出力された画像データに対して前記欠陥補正を行う補正工程とを有し、
前記撮影条件は、撮影時の絞り値を含むことを特徴とする画像処理方法。
【請求項９】
複数の画素を含む撮像素子から出力される画像データを処理する画像処理装置における画像処理方法であって、
判定手段が、撮影時の絞り値と補正対象となる欠陥画素のグレードとを対応させたテーブルに基づいて、各欠陥画素から出力される画像データの補正要否を判定する判定工程と、
補正手段が、前記判定工程において補正が必要であると判定された欠陥画素から出力される画像データに補正処理を施す補正工程と
を有することを特徴とする画像処理方法。
【請求項１０】
前記画像処理装置は、さらに、各欠陥画素のアドレス情報と欠陥画素のグレードを示す欠陥画素データを記憶した記憶手段を有し、
前記判定工程では、前記テーブルが示す欠陥画素のグレードと前記欠陥画素データが示す欠陥画素のグレードとを比較し、比較結果に基づいて各欠陥画素から出力される画像データの補正要否を判定することを特徴とする請求項９に記載の画像処理方法。
【請求項１１】
コンピュータを、請求項１乃至７のいずれか１項に記載の画像処理装置の各手段として機能させるためのプログラム。
【請求項１２】
コンピュータに、請求項８乃至１０のいずれか１項に記載の画像処理方法の各工程を実行させるためのプログラム。
【請求項１３】
請求項１１または１２に記載のプログラムを格納したコンピュータが読み取り可能な記憶媒体。